【手続補正書】
【提出日】平成18年8月17日(2006.8.17)
【手続補正１】
【補正対象書類名】明細書
【補正対象項目名】特許請求の範囲
【補正方法】変更
【補正の内容】
【特許請求の範囲】
【請求項１】
皮膚の水分量と皮脂量の２軸によって普通肌、脂性肌、乾燥肌及び脂性乾燥肌の４分類に表現された使用者の肌性ごとに分類された化粧料であって、肌性ごとに、肌性に対応した化粧料組成物が、異なる色の容器に充填されていて、該容器の色が、同じ肌性の人が平均的に認識しやすい色であることを特徴とする、化粧料。
【請求項２】
普通肌の人用の容器がオレンジ色であり、乾燥肌の人用の容器がピンクであり、脂性肌の人用の容器が青であり、脂性乾燥肌の人用の容器が黄緑であることを特徴とする、請求項１に記載の化粧料。
【請求項３】
容器が同一色の本体と着脱可能なリフィール容器とで構成されていることを特徴とする、請求項１又は２に記載の化粧料。
【請求項４】
皮膚の水分量と皮脂量の２軸によって普通肌、脂性肌、乾燥肌及び脂性乾燥肌の４分類に表現された肌性の容器の色別による表示方法。
【請求項５】
普通肌の人用の容器がオレンジ色であり、乾燥肌の人用の容器がピンクであり、脂性肌の人用の容器が青であり、脂性乾燥肌の人用の容器が黄緑であることを特徴とする、請求項４に記載の表示方法。
【手続補正２】
【補正対象書類名】明細書
【補正対象項目名】０００１
【補正方法】変更
【補正の内容】
【０００１】
【発明の属する技術分野】
本発明は、肌性ごとに異なる色の容器によって識別された化粧料及び容器の色別による適切な肌性の表示方法に関する。
【手続補正３】
【補正対象書類名】明細書
【補正対象項目名】０００７
【補正方法】変更
【補正の内容】
【０００７】
【課題を解決するための手段】
この様な状況に鑑みて、本発明者らは、肌性対応した化粧料商品群を選択し、商品の受け渡しをするにあたり、錯誤率を下げる手段を求め、鋭意研究努力を重ねた結果、使用者の肌性ごとに分類された化粧料であって、肌性ごとに、肌性に対応した化粧料組成物が、異なる色の容器に充填されていて、該容器の色が、同じ肌性の人が平均的に認識しやすい色であることを特徴とする、化粧料がその様な効果を有することを見出し、発明を完成させた。即ち、本発明は、次に示す技術に関するものである。
（１）皮膚の水分量と皮脂量の２軸によって普通肌、脂性肌、乾燥肌及び脂性乾燥肌 の４分類に表現された使用者の肌性ごとに分類された化粧料であって、肌性ごとに、肌性に対応した化粧料組成物が、異なる色の容器に充填されていて、該容器の色が、同じ肌性の人が平均的に認識しやすい色であることを特徴とする、化粧料。
（２）普通肌の人用の容器がオレンジ色であり、乾燥肌の人用の容器がピンクであり、脂性肌の人用の容器が青であり、脂性乾燥肌の人用の容器が黄緑であることを特徴とする、（１）に記載の化粧料。
（３）容器が同一色の本体と着脱可能なリフィール容器とで構成されていることを特徴とする、（１）又は（２）に記載の化粧料。
（４）皮膚の水分量と皮脂量の２軸によって普通肌、脂性肌、乾燥肌及び脂性乾燥肌の４分類に表現された肌性の容器の色別による表示方法。
（５）普通肌の人用の容器がオレンジ色であり、乾燥肌の人用の容器がピンクであり、脂性肌の人用の容器が青であり、脂性乾燥肌の人用の容器が黄緑であることを特徴とする、（４）に記載の表示方法。
【手続補正４】
【補正対象書類名】明細書
【補正対象項目名】０００８
【補正方法】変更
【補正の内容】
【０００８】
【発明の実施の形態】
本発明の化粧料は、使用者の肌性ごとに分類された化粧料であって、肌性ごとに、肌性に対応した化粧料組成物が、異なる色の容器に充填されていて、該容器の色が、同じ肌性の人が平均的に認識しやすい色であることを特徴とする。従来、同じ化粧料のシリーズにおいて、肌性に対応して数種の化粧料を用意し、肌性に合わせてこれを選択することは行われていたし、これらの肌性に適合した化粧料を肌性ごとに容器の色を変えて区別することも為されていた。しかしながら、色の好みに肌性ごとに異なった傾向があること、又、この様なある肌性の人が好みやすい色を容器に付すことにより、商品の取り違いが減少することは全く知られていなかった。本発明者らは、肌性による化粧料選択にあたって、特定の肌性の人が特定の色の容器をとりやすい為、これによって商品の取り違いが発生しやすいことを見出した。更に詳細に検討を加えた結果、肌性によって好む色が異なり、好む色を付した容器にその肌性用の化粧料を充填しておくと、この様な化粧料を選択しやすいことを見出した。この様な形態をとることにより、取り違いが激減する。ここで、肌性分類としては、脂質代謝と水分保持力とを指標にした分類であり、普通肌、脂性肌、乾燥肌及び脂性乾燥肌の４分類に表現される。即ち、大雑把な概念としては、普通肌が、水分が多く、脂質の分泌が少ない肌であり、脂性肌は水分、脂質の分泌ともに多い肌であり、乾燥肌は水分、脂質の分泌ともに少ない肌であり、乾性脂性肌は水分は少ないが脂質分泌の多い肌と定義して分類する肌分類である。この様な分類を行うためには、厳密には、皮膚
中に存在する水分量と皮脂の分泌量とを測定しなければならないが、この様な測定法は、水分量であれば、皮膚のコンダクタンスを測定することが挙げられ、皮脂の分泌量であれば、脂取り紙などで回収し、その重量を測定することが挙げられる。更に、便宜的な方法としては、水分量としては、「しっとりしているか？」「かさかさすることがどのくらいあるか？」などの質問を行い、その程度を知ることが出来るし、脂質量としては、「油っぽい方か？」「べたつかないか？」「毛穴が目立つか？」などの質問を行いその程度を知ることが出来る。この様な質問に対する答えと水分量或いは脂質分泌量は良い相関が存在することを本発明者らは見いだしている。更には、肌性を表す図１に示す、水分軸と脂質分泌量軸の２軸からなる２次元空間を示し、どの象限に自分が属するのかを判断してもらう方法によっても、上記４分類の肌性と相関良く群分けすることが出来る。この方法が最も簡便で好ましい方法である。
【手続補正５】
【補正対象書類名】明細書
【補正対象項目名】００１１
【補正方法】変更
【補正の内容】
【００１１】
本発明の化粧料は、かかる化粧料用の容器にそれぞれの肌性用に設計された化粧料を充填してなることを特徴とする。この様な肌性に対応する化粧料の構成としては、次の２点に注目すればよい。即ち、１）化粧料の構成をローションとエマルションとからなるようにセットし、エマルションの形態をエッセンス、ミルク及びクリームと少なくとも３種類用意し、この様な形態の組合せにより肌性対応を行うことと、２）保湿剤の構成により対応することである。具体的には、普通肌の人に対しては、１，３ブタンジオールや１，２−ペンタンジオールなどの２つの水酸基を有する多価アルコール、グリセリンなどの３つ以上の水酸基を有する多価アルコールをそれぞれ３〜７重量％含有する化粧水と通常の量の油相成分を含有するエッセンス及び／又は乳液を構成とし、乾燥肌の人には２つの水酸基を有する多価アルコールを３〜７重量％及び水酸基３個以上の多価アルコールを５〜１２重量％含有させたローションと油相がリッチなクリームとミルクとを構成とし、脂性肌用の化粧料としては、水酸基２個の多価アルコールを５重量％以下、水酸基３個以上の多価アルコールを１重量％以下の含有量に抑え、エタノールの含有量を５重量％以上含有するローションと揮発性油剤を利用して塗布後の残留油相が１０重量％以下になるように設計したエッセンスとミルクを構成とし、脂性乾燥肌用の化粧料としては、２つの水酸基を有する多価アルコール、３つ以上の水酸基を有する多価アルコールをそれぞれ３〜７重量％含有する化粧水と揮発性油剤などの含有により、油相が塗布後１０重量％以下しか残留しないエッセンス、クリームを構成要素とすることが好ましく例示できる。ここで、エマルションタイプの化粧料は、クリームとミルク、クリームとエッセンス、エッセンスとミルクと言ったように異なるタイプを２種用意し、症状によりどちらかを選択することにより対応するような構成にしておくことが好ましい。本発明の化粧料の化粧料組成物は、この様な条件を満たす範囲に於いて、通常化粧料で使用される任意の成分を含有することが出来る。かかる任意成分としては、かかる任意成分としては、例えば、スクワラン、ワセリン、マイクロクリスタリンワックス等の炭化水素類、ホホバ油、カルナウバワックス，オレイン酸オクチルドデシル等のエステル類、オリーブ油、牛脂、椰子油等のトリグリセライド類、ステアリン酸、オレイン酸、リチノレイン酸等の脂肪酸、オレイルアルコール、ステアリルアルコール、オクチルドデカノール等の高級アルコール、スルホコハク酸エステルやポリオキシエチレンアルキル硫酸ナトリウム等のアニオン界面活性剤類、アルキルベタイン塩等の両性界面活性剤類、ジアルキルアンモニウム塩等のカチオン界面活性剤類、ソルビタン脂肪酸エステル、脂肪酸モノグリセライド、これらのポリオキシエチレン付加物、ポリオキシエチレンアルキルエーテル、ポリオキシエチレン脂肪酸エステル等の非イオン界面活性剤類、ポリエチレングリコール、グリセリン、１，３−ブタンジオール
等の多価アルコール類、増粘・ゲル化剤、酸化防止剤、紫外線吸収剤、色剤、防腐剤、粉体等を好ましく例示することが出来る。これらの原料を常法に従って処理することにより、本発明の化粧料を製造することができる。かくして得られた化粧料は、肌性ごとに認識されやすい色で彩色された容器に格納されているため、自分の肌性と適合した化粧料が自然に選択できるため、化粧料の誤選択を回避することが出来、化粧料本来の効果と安全性を保持することが出来る。
【手続補正６】
【補正対象書類名】明細書
【補正対象項目名】００２６
【補正方法】変更
【補正の内容】
【００２６】
＜実施例２＞
１群３０名、計６０名のパネラーを使用して、上記の１２品の化粧料の使用テストを行った。１群は上記の本発明の化粧料を使用（実施例群）し、もう１群は、上記の化粧料組成物をそれぞれ普通肌用の化粧料組成物は黄緑色の容器に充填し、乾燥肌用の化粧料組成物はオレンジの容器に充填し、脂性肌用の化粧料組成物はピンクの容器に充填し、脂性乾燥肌用の化粧料組成物は青の容器に充填したものを使用（比較例群）した。使用テストは、判定員が下記に示す基準に従って、顔のかさつきと脂質の分泌状況から肌性を判定し、決定した肌性をパネラーに告げ、パネラーはこの肌性を記憶して、判定場所から離れた受け取り場所にて、サンプルを受け取った。この時、判定員と商品受け渡し員は、それぞれ、判定した肌性と渡した化粧料の種類とを記録しておくようにした。化粧料の受け渡しが終わった時点において、商品の受け渡し時の誤選択率を求めた。更に、１日１回３０日連日使用後の肌状態の改善実感を、＋＋：非常に改善した、＋：明らかに改善した、±：僅かに改善したように思われる、−：改善せずの基準で判定してもらった。これらの結果を表２に示す。これより、本発明の化粧料は、肌性特有の嗜好性に適合した色で容器を彩色することにより、誤選択率を下げていること及びその結果、化粧料の肌改善効果を高めていることがわかる。